(57)【要約】【課題】ユーザーが利用する特定の端末機器に対し、コンテンツの利用契約に応じて、外付けのキーを設けることなくコンテンツの不正利用を防止できる。【解決手段】２層構成の記録媒体の下層部１０４にコンテンツ用キーが埋め込まれる。上層部１０２には、コンテンツが記録される。ユーザーがコンテンツ管理者とコンテンツの利用契約を結ぶと、サーバコンピュータは利用契約条件に適合したコンテンツ用キーの位置を配信する。クライアントコンピュータはコンテンツ用キー位置の情報を受信すると、上層部１０２に記録する。ユーザーがコンテンツを利用する際、クライアントコンピュータにおいて利用契約の判別ソフトが作動し、磁気ヘッドから得られる上層部１０２と下層部１０４の磁気情報が重畳した再生信号を弁別して、上層部１０２と下層部１０４の再生信号をデジタル信号処理して、両信号の相関度を求める。【選択図】　　　　図８
2004030841.tif 000002
【特許請求の範囲】
【請求項１】
記録媒体を有するクライアントコンピュータと、該クライアントコンピュータにネットワークを介して接続されたサーバコンピュータとを備えたコンテンツの供給システムであって、前記記録媒体は、少なくとも１つのコンテンツが記録され、前記クライアントコンピュータにより記録および消去が可能な第１層と、前記コンテンツの各々に対応付けられたキーが埋め込まれ、前記クライアントコンピュータにより記録および消去が不可能な第２層とから構成されており、前記サーバコンピュータは、
前記クライアントコンピュータから前記コンテンツの利用契約の締結に関する情報を受信する受信手段と、
該受信手段により受信した情報に応じた前記キーの位置を示す情報を送信する送信手段と
を有し、前記クライアントコンピュータは、
前記送信手段により送信された前記キーの位置を示す情報を前記第１層に記録する記録手段と、
前記第１層および第２層に記録された磁気情報が重畳した再生信号を弁別する弁別手段と、
前記弁別手段により弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断する判別手段と
を備えたことを特徴とするコンテンツの供給システム。
【請求項２】
請求項１に記載のコンテンツの供給システムにおいて、前記キーは電子透かしの技術を用いて埋め込まれていることを特徴とするコンテンツの供給システム。
【請求項３】
請求項１または２に記載のコンテンツの供給システムにおいて、前記記録手段は、前記キーの位置を示す情報を、電子透かしの技術を用いて記録することを特徴とするコンテンツの供給システム。
【請求項４】
記録媒体を有するコンピュータであって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、
前記キーの位置を示す情報を受信する受信手段と、
該受信手段により受信したキーの位置を示す情報を前記第１層に記録する記録手段と、
前記第１層および第２層に記録された磁気情報が重畳した再生信号を弁別する弁別手段と、
前記弁別手段により弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断する判別手段と
を有することを特徴とするコンピュータ。
【請求項５】
記録媒体を有するクライアントコンピュータと、該クライアントコンピュータにネットワークを介して接続されたサーバコンピュータとを用いたコンテンツの供給方法であって、前記記録媒体は、少なくとも１つのコンテンツが記録され、前記クライアントコンピュータにより記録および消去が可能な第１層と、前記コンテンツの各々に対応付けられたキーが埋め込まれ、前記クライアントコンピュータにより記録および消去が不可能な第２層とから構成されており、前記方法は、
前記サーバコンピュータにおいて、前記クライアントコンピュータから前記コンテンツの利用契約の締結に関する情報を受信し、
前記サーバコンピュータにおいて、該受信した情報に応じた前記キーの位置を示す情報を送信し、
前記クライアントコンピュータにおいて、前記送信された前記キーの位置を示す情報を前記第１層に記録し、
前記クライアントコンピュータにおいて、前記第１層および第２層に記録された磁気情報が重畳した再生信号を弁別し、
前記クライアントコンピュータにおいて、前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断することを備えたことを特徴とするコンテンツの供給方法。
【請求項６】
記録媒体を有するコンピュータを用いたコンテンツの不正利用防止方法であって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、前記方法は、
前記キーの位置を示す情報を受信し、
該受信したキーの位置を示す情報を前記第１層に記録し、
前記第１層および第２層に記録された磁気情報が重畳した再生信号を弁別し、
前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断することを備えることを特徴とするコンテンツの供給方法。
【請求項７】
記録媒体を有するコンピュータに実行させるコンピュータプログラムであって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、前記コンピュータプログラムは、
前記キーの位置を示す情報を受信するステップと、
該受信したキーの位置を示す情報を前記第１層に記録するステップと、
前記第１層および第２層に記録された磁気情報が重畳した再生信号を弁別するステップと、
前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断するステップとを備えたことを特徴とするコンピュータプログラム。
【請求項８】
請求項７に記載のコンピュータプログラムにおいて、該コンピュータプログラムは前記記録媒体に記録されていることを特徴とするコンピュータプログラム。
【請求項９】
請求項８に記載のコンピュータプログラムにおいて、該コンピュータプログラムは前記コンテンツに組み込まれていることを特徴とするコンピュータプログラム。
【発明の詳細な説明】
【０００１】
【発明の属する技術分野】
本発明はコンテンツの供給システム、コンテンツの供給方法、コンテンツの不正利用防止方法およびコンピュータプログラムに関し、より具体的には、コンテンツの利用形態において、コンテンツの不正なコピーを防止し、利用契約に対応して制限された範囲でコンテンツを利用することができるコンテンツの供給システム、コンテンツの供給方法、コンテンツの不正利用防止方法およびコンピュータプログラムに関する。
【０００２】
【従来の技術】
現在のパソコン等の端末機器では、各種のコンテンツがプレインストールされていたり、あるいはインターネット等を経由してユーザーが必要とするコンテンツを入手し、利用することができる。このように端末機器によるコンテンツの使用が普及し始めた当初から、コピー防止を目的として、パスワード、シリアル番号などを入力する方法がある。しかし、ユーザーがコンテンツ利用に関する同意書に同意しているにも関わらず、コンテンツのパスワード、シリアル番号を第三者に漏洩し、不正利用の手助けをしているのが実状であり、コンテンツの販売に大きな影響を与えている。
【０００３】
このような不具合を防止するため、ハードウェアで構成された外付けキーをパソコンに装着し、コンテンツを実行する際に、外付けキーの有無を監視する手法が考案され、同時に複数台でコンテンツを利用することを防止できるようになっている。
【０００４】
また、不正なコンテンツの利用を排除する別の方法として、例えば特開２００２−８４２７１号公報には、特殊な方法でのみ読取可能な秘密情報を予め格納し、記録媒体へのコンテンツの記録または記録されたコンテンツの再生を行う際のコンテンツ暗号化または復号処理用暗号鍵に、上記秘密情報を作用させる方法が記載されている。
【０００５】
【発明が解決しようとする課題】
しかしながら、上述した不正利用の防止方法の場合、同時ではないにせよ複数台のパソコンでのコンテンツの利用を許諾することになるという問題がある。
【０００６】
また、コンテンツの利用契約を結んだ機器のみの利用を許諾し、コンテンツのコピーによる不正利用を防止するために、余分なハードウェアで構成されたキーを製作する手間がかかるという問題がある。
【０００７】
本発明はこのような問題に鑑みてなされたものであり、その目的とするところは、ユーザーが利用する特定の端末機器に対し、コンテンツの利用契約に応じて、外付けのキーを設けることなくコンテンツの不正利用を防止できるコンテンツの供給システム、コンテンツの供給方法、コンテンツの不正利用防止方法およびコンピュータプログラムを提供することにある。
【０００８】
【課題を解決するための手段】
このような目的を達成するために、本発明の請求項１に記載の発明は、記録媒体を有するクライアントコンピュータと、該クライアントコンピュータにネットワークを介して接続されたサーバコンピュータとを備えたコンテンツの供給システムであって、前記記録媒体は、少なくとも１つのコンテンツが記録され、前記クライアントコンピュータにより記録および消去が可能な第１層と、前記コンテンツの各々に対応付けられたキーが埋め込まれ、前記クライアントコンピュータにより記録および消去が不可能な第２層とから構成されており、前記サーバコンピュータは、前記クライアントコンピュータから前記コンテンツの利用契約の締結に関する情報を受信する受信手段と、該受信手段により受信した情報に応じた前記キーの位置を示す情報を送信する送信手段とを有し、前記クライアントコンピュータは、前記送信手段により送信された前記キーの位置を示す情報を前記第１層に記録する記録手段と、前記第１層および第２層に記録された磁気情報が重畳した再生信号を弁別する弁別手段と、前記弁別手段により弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断する判別手段とを備えたことを特徴とする。
【０００９】
また、請求項２に記載の発明は、請求項１に記載のコンテンツの供給システムにおいて、前記キーは電子透かしの技術を用いて埋め込まれていることを特徴とする。
【００１０】
また、請求項３に記載の発明は、請求項１または２に記載のコンテンツの供給システムにおいて、前記記録手段は、前記キーの位置を示す情報を、電子透かしの技術を用いて記録することを特徴とする。
【００１１】
また、請求項４に記載の発明は、記録媒体を有するコンピュータであって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、前記キーの位置を示す情報を受信する受信手段と、該受信手段により受信したキーの位置を示す情報を前記第１層に記録する記録手段と、前記第１層および第２層に記録された磁気情報が重畳した再生信号を弁別する弁別手段と、前記弁別手段により弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断する判別手段とを有することを特徴とする。
【００１２】
また、請求項５に記載の発明は、記録媒体を有するクライアントコンピュータと、該クライアントコンピュータにネットワークを介して接続されたサーバコンピュータとを用いたコンテンツの供給方法であって、前記記録媒体は、少なくとも１つのコンテンツが記録され、前記クライアントコンピュータにより記録および消去が可能な第１層と、前記コンテンツの各々に対応付けられたキーが埋め込まれ、前記クライアントコンピュータにより記録および消去が不可能な第２層とから構成されており、前記方法は、前記サーバコンピュータにおいて、前記クライアントコンピュータから前記コンテンツの利用契約の締結に関する情報を受信し、前記サーバコンピュータにおいて、該受信した情報に応じた前記キーの位置を示す情報を送信し、前記クライアントコンピュータにおいて、前記送信された前記キーの位置を示す情報を前記第１層に記録し、前記クライアントコンピュータにおいて、前記第１層および第２層に記録された磁気情報が重畳した再生信号を弁別し、前記クライアントコンピュータにおいて、前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断することを備えたことを特徴とする。
【００１３】
また、請求項６に記載の発明は、記録媒体を有するコンピュータを用いたコンテンツの不正利用防止方法であって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、前記方法は、前記キーの位置を示す情報を受信し、該受信したキーの位置を示す情報を前記第１層に記録し、前記第１層および第２層に記録された磁気情報が重畳した再生信号を弁別し、前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断することを備えることを特徴とする。
【００１４】
また、請求項７に記載の発明は、記録媒体を有するコンピュータに実行させるコンピュータプログラムであって、前記記録媒体は、少なくとも１つのコンテンツが記録され、前記コンピュータにより記録および消去が可能な第１層と、前記コンテンツの各々に対応付けられたキーが埋め込まれ、前記コンピュータにより記録および消去が不可能な第２層とから構成されており、前記コンピュータプログラムは、前記キーの位置を示す情報を受信するステップと、該受信したキーの位置を示す情報を前記第１層に記録するステップと、前記第１層および第２層に記録された磁気情報が重畳した再生信号を弁別するステップと、前記弁別された第１層の再生信号に前記第２層の再生信号が含まれていない場合には前記コンテンツの正規の利用と判断し、前記第１層の再生信号に前記第２層の再生信号が含まれている場合には前記コンテンツの不正利用と判断するステップとを備えたことを特徴とする。
【００１５】
また、請求項８に記載の発明は、請求項７に記載のコンピュータプログラムにおいて、該コンピュータプログラムは前記記録媒体に記録されていることを特徴とする。
【００１６】
また、請求項９に記載の発明は、請求項８に記載のコンピュータプログラムにおいて、該コンピュータプログラムは前記コンテンツに組み込まれていることを特徴とする。
【００１７】
【発明の実施の形態】
以下、図面を参照し、本発明の詳細な実施の形態について詳細に説明する。
【００１８】
本実施形態では、ハードディスクの記録媒体として、図１に示すように記録層１００が２層から構成される２層記録媒体を採用する。この２層記録媒体の各層の磁気特性は図２の曲線２０４に示すような、低い保磁力Ｈｃ１を持つ上の記録層（以下、上層部と称する）１０２と、図２の曲線２０２に示すような、高い保磁力Ｈｃ２を持つ下の記録層（以下、下層部と称する）１０４の２つの記録層を含んでいる。２つの記録層の保磁力には、Ｈｃ１≪Ｈｃ２の関係が成り立っている。このため、下層部１０４は高保磁力を有しており、ハードディスクに組込みの上層部１０２を読み書きする磁気ヘッドでは書き込むことができず、書き込みはハードディスクの製造者のみが磁気転写技術を用いて行う。
【００１９】
２層磁気記録媒体の製造方法においては、基板の表面に第１層目としてＨｃ２の磁性膜をスパッタにより成膜し、第２層目にＨｃ１の磁性膜を成膜することにより磁性膜を積層構造としている。また２層媒体への磁気転写技術として、上の記録層の保磁力Ｈｃ１、下の記録層の保磁力Ｈｃ２とし、外部磁界Ｈｅｘ１、Ｈｅｘ２とした場合に、Ｈｃ１＜＜Ｈｃ２、Ｈｅｘ１＜＜Ｈｅｘ２、Ｈｃ１＜＜Ｈｅｘ１、Ｈｅｘ１＜＜Ｈｃ２とし、下の記録層への転写工程で外部磁界Ｈｅｘ２を印加し、上の記録層への転写工程で外部磁界Ｈｅｘ１を印加する方法を使用することができる。この転写技術の詳細については特願２００１−２７９９０７号を参照されたい。
【００２０】
以下では、２層媒体の下層部１０４への磁気転写方法に関してのみ記載する。図３は本実施形態において採用される磁気転写技術の概要を示す。図３（ａ）は初期化工程を示し、まずＨｃ１およびＨｃ２より大きい外部磁界Ｈｉｎｉを印加することにより記録層は上，下層とも初期磁化される。図３（ｂ）は下層部１０４への転写工程を示す。記録媒体にマスタディスク３０２を密着し、外部磁界Ｈｅｘを印加する。この時、外部磁界Ｈｅｘは初期磁界と反対方向の磁界で、大きさはＨｃ１≪Ｈｅｘ、Ｈｃ２〜Ｈｅｘを満たすものとする。
【００２１】
上層部１０２は外部磁界Ｈｅｘが保磁力Ｈｃ１より十分大きいので、マスタディスク３０２の軟磁性パターン３０４の存在如何に関わらずＨｅｘの磁界の方向（初期磁化と反対方向）に一様に磁化される。一方、下層部１０４では軟磁性パターン３０４の下の漏れ磁界が磁化を反転させる程大きくないため、軟磁性パターン３０４の下では初期磁化はそのまま保たれるが、軟磁性パターン３０４がない部分では外部磁界Ｈｅｘにより磁化は反転する。このようにして、下層部１０４にはマスタディスク３０２の軟磁性パターン３０４の転写が行われる。従って、下層部１０４にはハードディスクの出荷時に磁気転写技術を用いて、様々なコンテンツの利用区分に応じた種々のキーの記録を行うことができる。また、上層部１０２には通常の磁気ヘッドによって、コンテンツなどをユーザーが自由に記録することができる。
【００２２】
なお、上記キーは非常に高い秘密度を要求されるため、電子透かしの技術を用いて解読できないようにしても良い。電子透かしはスペクトル拡散，ウエーブレット変換等の技術を用いて、媒体の特定位置ではなく、媒体全体にばらまいたり、他のコンテンツの隙間に挿入したり、データの置換などの手法で行われる。
【００２３】
また、２層媒体から磁気情報の再生は１個の磁気ヘッドで行うため、通常では下層部１０４と上層部１０２の信号が重畳されて検出されるが、本実施形態では下層部１０４と上層部１０２の再生信号の弁別を行うデジタル信号処理のソフトを、供給するコンテンツに含ませている。当然ではあるが、この２層再生信号の弁別用ソフトは秘匿に関わる重要な役割をしているので、上記したように電子透かしの技術を用いて解読できないようにするべきである。
【００２４】
上記した下層部１０４と上層部１０２の再生信号のデジタル信号処理技術を用いて弁別を行う方法として、例えば再生信号の振幅の相違に着目して行う方法がある。
【００２５】
図４は、再生信号の振幅相違による分離方法を示す。図４（ａ）は磁性体の磁気特性を示すもので、磁性体が一旦大きな磁場を経験すると、磁場が零でも一定の残留磁化が残る。磁性体の内部には残留磁化が残ることにより、その磁化を打ち消そうとする方向に磁場が発生し、これを減磁場という。磁気ヘッドの再生信号は、下記の式で表される。図４（ｂ）は磁性層１００と磁気ヘッド４０２の位置関係を示す。磁性層の上層部１０２の厚みｔ１を１０ｎｍ、磁気ヘッド４０２と磁性層の上層部１０２とのギャップｇを１０ｎｍ、磁性層１００の下層部１０４の厚みｔ２を２０ｎｍ、磁気ヘッド４０２と磁性層の下層部１０４とのギャップを２０ｎｍとする。その他の位置関係に関する条件は、上層部と下層部で同一とする。
【００２６】
媒体の残留磁化と磁気ヘッドとの水平方向の離間距離をｘとした場合、残留磁化を持った磁性層により磁気ヘッドで得られる再生信号の電圧（振幅）Ｅｘ（ｘ）は下記の式で表される。
【００２７】
【数１】
2004030841.tif 000003
【００２８】
但し、各変数は下記の通りである。
Ｌ：ヘッド，媒体間の結合インピーダンス
Ｖ：媒体の速度
Ｗ：記録されているトラックの幅
ｄ：ヘッド・媒体間の隙間
Ｍｒ：媒体の磁化成分
δ：媒体の磁性層の厚み
ａｘ：減磁場の遷移パラメータ
Ｈｇ：磁気ヘッドのギャップ長さ
ｘ＝０の位置において、下層部１０４の残留磁化による電圧は、上層部１０２の残留磁化による電圧の約２倍となる。この再生信号における電圧振幅の差異の様子を図５（ａ）および（ｂ）に示す。
【００２９】
図５は、２層構成からなる磁気記録媒体での再生信号波形を示す図で、（ａ）は上層部１０２の再生信号を、（ｂ）は下層部１０４の再生信号を、（ｃ）は２層の再生信号を示す。図５に示す例では、上層部１０２と下層部１０４とのパターンが重なる位置では、上層部１０２の残留磁化による電圧と下層部１０４の残留磁化による電圧とが重畳されて出力されることを表している。予め、各層の残留磁化による出力電圧が解っているので、再生信号を高周波でサンプリングし、波形解析を行うことにより、再生信号が何れの層によるのかを把握することができる。以上のようにして、２層媒体の記録，再生が行われている。
【００３０】
次に、図６のブロック図を参照し、本発明に係るコンテンツの供給システムを構成するクライアントコンピュータの構成例について説明する。
【００３１】
クライアントコンピュータ６００は、ＣＰＵ（Ｃｅｎｔｒａｌ　Ｐｒｏｃｅｓｓｉｎｇ　Ｕｎｉｔ）６０２を内蔵している。このＣＰＵ６０２には、入出力インタフェース（Ｉ／Ｆ）６１０がバス６０８を介して接続されており、ＣＰＵ６０２は、入出力Ｉ／Ｆ６１０を介して、ユーザによって、キーボードやマウス等で構成される入力部６１２の操作により指示が入力されると、その指示にしたがって、ＲＯＭ（Ｒｅａｄ　Ｏｎｌｙ　Ｍｅｍｏｒｙ）６０６に格納されているプログラムを実行する。あるいは、ＣＰＵ６０２は、入出力Ｉ／Ｆ６１０およびドライブ６１６を介して、ハードディスク６２２内の記録媒体６２０に記録されたプログラムを読み出し、ＲＡＭ（Ｒａｎｄｏｍ　ＡｃｃｅｓｓＭｅｍｏｒｙ）６０４にロードして実行する。また、通信部６１８から受信した情報によりプログラムの実行が指示される場合もある。
【００３２】
このようにして、図８および図９を参照して後述する本実施形態に関わる処理が実現される。そして、ＣＰＵ６０２はその処理結果を、必要に応じて、例えば入出力Ｉ／Ｆ６１０を介して、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｂｅ）、あるいはスピーカ等により構成される出力部６１４から出力し、通信部６１８から送出し、あるいは記録媒体６２０に記録させる。
【００３３】
なお、クライアントコンピュータ６００に各種の処理を実行させるプログラムを記述する処理ステップは、必ずしも時系列で処理される必要はなく、並列的に、あるいは個別に実行される処理も含む場合がある。
【００３４】
また、プログラムは、１台のコンピュータにより処理されるものであっても良く、あるいは複数台のコンピュータによって分散処理されるものであっても良い。さらに、プログラムは、遠方のコンピュータに転送されて実行されるものであっても良い。
【００３５】
次に、図７のブロック図を参照し、記録媒体６２０に記録されたコンテンツを管理するコンテンツ管理者により使用されるサーバコンピュータの構成例について説明する。
【００３６】
サーバコンピュータ７００は、ＣＰＵ（Ｃｅｎｔｒａｌ　Ｐｒｏｃｅｓｓｉｎｇ　Ｕｎｉｔ）７０２を内蔵している。このＣＰＵ７０２には、入出力インタフェース（Ｉ／Ｆ）７１０がバス７０８を介して接続されており、ＣＰＵ７０２は、入出力Ｉ／Ｆ７１０を介して通信部７１２から受信した情報により指示が入力されると、その指示に従って、ＲＯＭ（Ｒｅａｄ　Ｏｎｌｙ　Ｍｅｍｏｒｙ）７０６に格納されているプログラムを実行する。あるいは、ハードディスク７１４にインストールされたプログラムを、ＲＡＭ（Ｒａｎｄｏｍ　Ａｃｃｅｓｓ　Ｍｅｍｏｒｙ）７０４にロードして実行する。
【００３７】
このようにして、図８を参照して後述する本実施形態に関わる処理が実現される。そして、ＣＰＵ７０２はその処理結果を、必要に応じて、例えば入出力Ｉ／Ｆ７１０を介して、通信部７１２から送出し、あるいはハードディスク７１４に記録させる。
【００３８】
なお、サーバコンピュータ７００に各種の処理を行わせるためのプログラムを記述する処理ステップは、必ずしも時系列で処理される必要はなく、並列的に、あるいは個別に実行される処理も含む場合がある。
【００３９】
また、プログラムは、１台のコンピュータにより処理されるものであっても良く、あるいは複数台のコンピュータによって分散処理されるものであっても良い。さらに、プログラムは、遠方のコンピュータに転送されて実行されるものであっても良い。
【００４０】
本実施形態に係るコンテンツの供給システムは、クライアントコンピュータと、サーバコンピュータとがインターネットなどの通信ネットワークに接続されており、これらが遠隔手続呼び出し（ＲＰＣ）を使用して同期を取りながら相互に通信を行うことができるように構成される。
【００４１】
図８は、上記のように構成されたコンテンツの供給システムにより実行される動作の流れを示す図で、本実施形態における正規ユーザのコンテンツ利用に至るまでの手順を示している。まず、図８（ａ）に示すように、２層構成の記録媒体を用いるハードディスクを出荷する際に、出荷時にユーザー側では記録、消去が不可能な下層部１０４に、コンテンツの利用を許諾するための複数のコンテンツ用キー８０２が埋め込まれる。このコンテンツ用キーは、その存在をユーザーに判らなくするために電子透かし８０４が施された状態で埋め込まれる。ユーザー側で書き込み、消去が可能な上層部１０２には、コンテンツが記録される。なお、コンテンツには後述する利用契約の判別ソフトが、電子透かしが施された状態で含まれている。複数のコンテンツ用キーはそれぞれ、各コンテンツに対応付けられている。
【００４２】
そして、図８（ｂ）に示すように、ユーザーがクライアントコンピュータ６００の記録媒体６２０に記録されたコンテンツを利用するために、コンテンツ管理者とコンテンツの利用契約を結ぶ。このような利用契約の締結は、例えばユーザがコンテンツを起動または実行する際に、クライアントコンピュータ６００がディスプレイ上に利用契約条件と共に契約内容への同意の意思表示を確認するためのボタンを表示し、ユーザからこのボタン操作を受け付ける周知の処理により行うことができる。契約内容の締結に関する処理は一般に、コンピュータがコンテンツに組み込まれた処理プログラムを実行することにより実現される。
【００４３】
このようなコンテンツの利用契約の締結処理により、クライアントコンピュータ６００からサーバコンピュータ７００へ、利用契約の締結に関する情報８０８が送信される。サーバコンピュータ７００はこの情報を受信すると、該受信した情報に基づき、上記の利用契約条件に適合したコンテンツ用キーの位置８１０をクライアントコンピュータ６００に配信する。クライアントコンピュータ６００はコンテンツ用キー位置８１０の情報を受信すると、記録可能な記録媒体６２０の上層部１０２に、コンテンツ用キーの位置を電子透かし８０４が施された状態で自動的に記録する。
【００４４】
このようにして、サーバコンピュータがコンテンツの利用契約の締結に関する情報を受信し、受信した情報に応じたキーの位置を示す情報をクライアントに送信する一方、クライアントコンピュータが、送信されたキーの位置を示す情報を第１層に記録する処理が実現される。
【００４５】
ユーザーがコンテンツを利用する際には、図８（ｃ）の処理ブロック図に示すように、クライアントコンピュータ６００において、コンテンツに電子透かしが施された状態で含まれる利用契約の判別ソフト８１２が作動し、磁気ヘッドから得られる上層部１０２と下層部１０４の磁気情報が重畳した再生信号を弁別（８１４）して、上層部１０２と下層部１０４の再生信号をデジタル信号処理して、両信号の相関度を求める。そして、求められた相関度に基づいて、コンテンツの不正利用を判別（８１６）する。
【００４６】
コンテンツの不正利用の判別は、次のように行うことができる。すなわち、正規ユーザーの場合には、上層部１０２の再生信号はコンテンツと電子透かしが施されたコンテンツ用キーの位置の情報となり、下層部１０４の再生信号はコンテンツの利用を許諾するための種々の電子透かしが施されたコンテンツ用キーの情報となり、全く相関が得られない状態となる。この場合、クライアントコンピュータ６００は操作中のユーザを正規ユーザーとして、コンテンツの利用を認める（８１８）。
【００４７】
このようにして、判別する際に、上層部の再生信号に、下層部の再生信号が含まれていない場合にはコンテンツの利用を認める処理が実現される。
【００４８】
図９は、本実施形態におけるコンテンツの不正利用の防止を説明するための図である。不正に正規ユーザーの記録媒体を再生・複写した場合、再生信号には図９（ａ）に示すように、上層部１０２のコンテンツ信号および電子透かしが施されたキーの位置の情報と、下層部１０４のコンテンツの利用を許諾するための種々の電子透かしが施されたキーの情報が重畳した波形になる。この再生信号が、不正を試みようとする者の記録媒体６２０の上層部１０２に記録される。しかし、不正を試みようとする者の使用する記録媒体６２０の下層部１０４にはコンテンツの利用を許諾するための種々の電子透かしが施されたコンテンツ用キーの情報が出荷時に記録されている。
【００４９】
不正を試みようとする者がクライアントコンピュータ６００の記録媒体６２０に記録されたコンテンツを利用しようとした場合、図９（ｂ）の処理ブロック図に示すように、コンテンツに電子透かしが施された状態で含まれる利用契約の判別ソフト８１２が作動し、磁気ヘッドから得られる上層部１０２と下層部１０４の磁気情報が重畳した再生信号を弁別（８１４）して、上層部１０２と下層部１０４の再生信号について、デジタル信号処理による相関度を求める。そして、求められた相関度に基づいて、コンテンツの不正利用を判別する（８１６）。
【００５０】
コンテンツの不正利用の判別は、次のように行うことができる。すなわち、不正ユーザーの場合には、上層部１０２の再生信号は前記のように、コンテンツおよび電子透かしが施されたキーの位置の情報、ならびにコンテンツの利用を許諾するための種々の電子透かしが施されたキーの情報となる。また、下層部１０４の再生信号は、コンテンツの利用を許諾するための種々の電子透かしが施されたキーの情報となる。従って、コンテンツの利用を許諾するための種々の電子透かしが施されたキーの情報に関して、上層部１０２と下層部１０４との相関度が高くなる。この場合、クライアントコンピュータ６００はコンテンツの不正利用と判断する。また、不正を試みようとする者の記録媒体６２０の下層部１０４に、コンテンツの利用を許諾するための種々の電子透かしが施されたキーの情報がなかった場合、利用契約の判別ソフトでは、下層部１０４の位置の情報が読めないと判断し、異常と判断する（９１８）。
【００５１】
このようにして、上層部の再生信号に、下層部の再生信号が含まれている場合にはコンテンツの利用を認めない処理が実現される。結果として、コンテンツの不正利用を防止することができる。
【００５２】
【発明の効果】
以上説明したように、本発明によれば、前記記録媒体は、少なくとも１つのコンテンツが記録され、クライアントコンピュータにより記録および消去が可能な第１層と、コンテンツの各々に対応付けられたキーが埋め込まれ、クライアントコンピュータにより記録および消去が不可能な第２層とから構成されており、サーバコンピュータにおいて、クライアントコンピュータからコンテンツの利用契約の締結に関する情報を受信し、サーバコンピュータにおいて、受信した情報に応じたキーの位置を示す情報を送信し、クライアントコンピュータにおいて、送信されたキーの位置を示す情報を第１層に記録し、クライアントコンピュータにおいて、第１層および第２層に記録された磁気情報が重畳した再生信号を弁別し、クライアントコンピュータにおいて、弁別された第１層の再生信号に第２層の再生信号が含まれていない場合にはコンテンツの正規の利用と判断し、第１層の再生信号に前記第２層の再生信号が含まれている場合にはコンテンツの不正利用と判断するので。外付けのキーを設けることなく、ユーザーが所有する特定の利用機器に対して、コンテンツの利用制限を容易に行うことができる。従って、コンテンツが契約対象外の機器にコピーされたとしても、確実に不正利用を防止することができる。
【００５３】
また、契約ユーザーの特定機器のみに対しコンテンツの利用を許可することが可能になるという効果を奏する。
【図面の簡単な説明】
【図１】本発明の一実施形態による磁気記録媒体の２層構成を示す図である。
【図２】本発明の一実施形態による２層構成からなる磁気記録媒体の各層の磁気特性を示す図である。
【図３】本発明の一実施形態による２層構成からなる磁気記録媒体の下層に対する磁気転写を示す図である。
【図４】（ａ）は本発明の一実施形態による２層構成からなる磁気記録媒体での残留磁化の様子を、（ｂ）は２層構成からなる磁気記録媒体と磁気ヘッドとの位置関係を示す図である。
【図５】本発明の一実施形態による２層構成からなる磁気記録媒体での再生信号波形を示す図である。
【図６】クライアントコンピュータのハードウェア構成の一例を示すブロック図である。
【図７】サーバコンピュータのハードウェア構成の一例を示すブロック図である。
【図８】本発明の一実施形態による正規ユーザーのコンテンツ利用に至るまでの手順を示す図である。
【図９】本発明の一実施形態によるコンテンツの不正利用の防止の手順を示す図である。
【符号の説明】
１００　記録層
１０２　上層部
１０４　下層部
２０２　下層部の磁気特性
２０４　上層部の磁気特性
３０２　マスターディスク
３０４　軟磁性パターン
４０２　磁気ヘッド
６００　クライアントコンピュータ
６０２、７０２　ＣＰＵ
６０４、７０４　ＲＡＭ
６０６、７０６　ＲＯＭ
６０８、７０８　バス
６１０、７１０　入出力インタフェース
６１２　入力部
６１４　出力部
６１６　ドライブ
６１８、７１２　通信部
６２０　記録媒体
６２２、７１４　ハードディスク
７００　サーバコンピュータ
【図１】
2004030841.tif 000004
【図２】
2004030841.tif 000005
【図３】
2004030841.tif 000006
【図４】
2004030841.tif 000007
【図５】
2004030841.tif 000008
【図６】
2004030841.tif 000009
【図７】
2004030841.tif 000010
【図８】
2004030841.tif 000011
【図９】
2004030841.tif 000012